(57)【要約】【課題】缶詰を１つずつ取り出すこと、並びに比較的多数の缶詰を取り出すことのいずれについても容易に行うことができる小出し用容器を提供すること。【解決手段】缶詰のための小出し用容器（１０）は、複数の缶詰（Ｃ）を横倒し状態で収容するための頂部開放の箱状体（１２）を含む。箱状体は、前壁（１６）及び後壁（１８）と、後壁から前壁に向けて下り勾配に傾斜した底壁（１４）と、両側壁（２０）とを備え、缶詰がその両端面をそれぞれ両側壁に向けて底壁上に載置される。【選択図】図１
0003114714.tif 000002
【実用新案登録請求の範囲】
【請求項１】
複数の缶詰を横倒し状態で収容するための頂部開放の箱状体であって、前壁及び後壁と、前記後壁から前記前壁に向けて下り勾配に傾斜した底壁と、両側壁とを備え、前記缶詰がその両端面をそれぞれ前記両側壁に向けて前記底壁上に載置される、缶詰のための小出し用容器。
【請求項２】
前記両側壁は前記缶詰の直径の約２倍の高さ寸法を有し、また前記前壁及びこれに近接する前記両側壁の一部がそれぞれ前記缶詰の直径の約１／２の高さ寸法を有する、請求項１に記載の小出し容器。
【請求項３】
前記両側壁は、それぞれ、前記箱状体の前後方向へ伸びかつ前記缶詰の端面に当接可能である一対の突条を有する、請求項１に記載の小出し容器。
【請求項４】
前記箱状体はこれに前記両側壁と平行に取り付け可能である、複数列の前記缶詰を仕切るための仕切り板を有し、前記仕切り板はその両面にそれぞれ前記箱状体の前後方向へ伸びかつ前記缶詰の端面に当接可能である一対の突条を有する、請求項１又は３に記載の小出し容器。
【請求項５】
前記箱状体は、互いに積み重ねられる１の箱状体の両側壁の頂部及び他の箱状体の両側壁の底部にそれぞれ設けられ互いに係合可能である突起及び窪みを有する、請求項１又は２に記載の小出し容器。
【考案の詳細な説明】
【技術分野】
【０００１】
本考案は、缶詰、特に清涼飲料水を内容物とする缶詰を小出しにして取り出すのに好適な容器に関する。
【背景技術】
【０００２】
従来、商品としての缶詰を取り出すことができるように収容した小出し用容器が提案されている（後記特許文献１参照）。
【０００３】
この小出し用容器は、複数の缶詰を横倒しにした状態で収容するためのハウジングを備える。前記ハウジングはその前部に前記缶詰を取り出すための取り出し口を有し、前記缶詰は前記ハウジングの傾斜した底壁上に前記取り出し口へ向けて転がり落ちるように配列される。
【特許文献１】実用新案登録第３０９５８６４号公報
【考案の開示】
【考案が解決しようとする課題】
【０００４】
しかし、前記従来の小出し用容器にあっては、これに収容された缶詰をその取り出し口を通して１つずつ取り出すことができるのみであることから、比較的多数の缶詰を取り出すには不便であった。
【０００５】
本考案の目的は、缶詰を１つずつ取り出すこと、並びに比較的多数の缶詰を取り出すことのいずれについても容易に行うことができる小出し用容器を提供することにある。
【課題を解決するための手段】
【０００６】
本考案に係る缶詰のための小出し用容器は、複数の缶詰を横倒し状態で収容するための頂部開放の箱状体であって、前壁及び後壁と、前記後壁から前記前壁に向けて下り勾配に傾斜した底壁と、両側壁とを備え、前記缶詰がその両端面をそれぞれ前記両側壁に向けて前記底壁上に載置される。
【０００７】
本考案の実施態様の一つにおいては、前記両側壁が前記缶詰の直径の約２倍の高さ寸法を有し、また前記前壁及びこれに近接する前記両側壁の一部がそれぞれ前記缶詰の直径の約１／２の高さ寸法を有するものとすることができる。
【０００８】
前記両側壁について、それぞれ、前記箱状体の前後方向へ伸びかつ前記缶詰の端面に当接可能である一対の突条を有するものとすることができる。また、前記箱状体はこれに前記両側壁と平行に取り付け可能である、複数列の前記缶詰を仕切るための仕切り板を有し、前記仕切り板はその両面にそれぞれ前記箱状体の前後方向へ伸びかつ前記缶詰の端面に当接可能である一対の突条を有するものとすることができる。
【０００９】
前記箱状体について、互いに積み重ねられる１の箱状体の両側壁の頂部及び他の箱状体の両側壁の底部にそれぞれ設けられ互いに係合可能である突起及び窪みを有するものとすることができる。
【考案の効果】
【００１０】
本考案によれば、横倒しにされた缶詰を収容する箱状体がその前壁へ向けての前記缶詰の転がり落ちを許す傾斜した底壁を有しかつ開放上部を有することから、前記箱状体内に収容された缶詰について、希望に応じて、前記開放上部を通して前記後壁から前記前壁に向けて繰り出された缶詰を１つずつ、又は前記開放上部を通して多数の缶詰を容易に取り出すことができる。
【００１１】
前記箱状体の側壁の高さを缶詰の直径の約２倍とするときは、前記箱状体内に缶詰を二段に重ねた状態で収容することができる。また、前記前壁及びこれに近接する両側壁の一部のそれぞれの高さ寸法を缶詰の直径の約１／２に設定するときは、前記前壁近傍に繰り出された缶詰の一部が前記前壁及び前記側壁の一部から上方へ突出することとなるため、缶詰が例えば二段重ねに収容されている場合にあっても前記箱状体の前壁近傍から缶詰を容易に掴み出すことができる。
【００１２】
各側壁に前後方向へ伸びる突条を設けるときは、前記突条を設けないときと比べて、前記側壁に対する缶詰の端面の接触面積が小さく、摩擦が少ない。このため、底壁上における缶詰の転がり落ち及びこれに伴う前記前壁に向けての缶詰の繰り出しをより円滑にすることができる。
【００１３】
前記両側壁間に配置される複数列の缶詰は、前記箱状体の一部としてこれに取り付けられる仕切り板により仕切ることができ、このとき、前記仕切り板がその両面に前記したと同様の突条を有するものとすることにより、前記仕切り板で仕切られた各列における缶詰の転動をより円滑にすることができる。
【００１４】
前記箱状体について、１の箱状体の両側壁の頂部と他の箱状体の底部とにそれぞれ互いに係合可能である窪み及び突起を設けることにより、１の箱状体の上に他の箱状体を載せて二段にし、両箱状体の一方に対する他方の位置ずれを未然に防止し、段重ねの状態を安定的に維持することができる。
【考案を実施するための最良の形態】
【００１５】
図１を参照すると、本考案に係る缶詰のための小出し用容器（以下単に「容器」という。）が全体に符号１０で示されている。本考案にあっては、後述するように、一の容器１０の上に他の容器１０を重ねて二段にし得る構造を有する。
【００１６】
容器１０は、複数の缶詰Ｃを横倒し状態で収容するための頂部開放の箱状体１２を備える。
【００１７】
箱状体１２は、缶詰Ｃの収容空間を規定する底壁１４と、互いに相対する前壁１６及び後壁１８と、互いに相対する両側壁２０とを有する。箱状体１２は例えばプラスチック材料で形成される。
【００１８】
底壁１４は全体に矩形の平面形状を有する（図２参照）。底壁１４上に、横倒しにされた複数の缶詰Ｃがこれらの両端面を両側壁２０に向けて載置される。図示の例では、複数の缶詰Ｃが二段に積み重ねた状態で載置されている。
【００１９】
底壁１４は、後壁１８から前壁１６に向けて下り勾配に傾斜している。このため、底壁１４上に載置された横倒しの缶詰Ｃは、前壁１６に突き当たるまで底壁１４上を後壁１８から前壁１６に向けて転がり落ちることができる。前壁１６に突き当たって止まった缶詰Ｃは、箱状体１２の開放頂部から取り出すことができる。缶詰Ｃが取り出されると、その後方にあった他の缶詰Ｃが転がり落ち、前壁１６の後方位置に繰り出される。
【００２０】
底壁１４及び両側壁２０は、それぞれ、缶詰Ｃを複数列（図示の例では３列）に配置可能である幅寸法及び相互間隔を有する。この例に代えて、底壁１４の幅寸法及び両側壁２０の相互間隔を、一列（単列）の缶詰を載置可能である大きさに設定することができる。
【００２１】
箱状体の前壁１６は、図示の例では、底壁１４、後壁１８及び両側壁２０がそれぞれ全体に矩形の平板状を呈しているのに対し、円弧状の横断面形状を有する湾曲板状を呈する。前壁１６の横断面形状である円弧は、缶詰Ｃの直径にほぼ等しい直径を有する。このため、缶詰Ｃは前壁１６に突き当たって止まるとき、その外周面の一部が湾曲した前壁１６に合致して接し、前壁１６を乗り越えないようにこれに保持される。ただし、前壁１６は、図示の例に代えて、平板状を呈するものすることを妨げない。
【００２２】
他方、後壁１８は、図示の例では、上段に重ねて置かれる缶詰Ｃの支持のため、箱状体１２の後方へ向けて底壁１４から斜め上方に伸びるように傾斜状態にされている。
【００２３】
両側壁２０は、図示の例では、二段に重ねられた缶詰Ｃの軸線方向への移動を阻止し、これらがこぼれ落ちないように、缶詰Ｃの直径のほぼ２倍の高さ寸法を有するように設定されている。両側壁２０の高さ寸法は、図示の例に限らず、任意の大きさに定めることができる。
【００２４】
図示の例では、また、両側壁２０がそれぞれ切り欠かれた前部２２を有する。各前部２２は前壁１６の各端部に連なり、前壁１６とほぼ同じ高さ寸法（缶詰Ｃの直径の約１／２）を有する。このことから、前壁１６の近傍では、該前壁で止められた缶詰Ｃのほぼ上半分が露出する。このため、箱状体１２内からの缶詰Ｃの取り出しは、缶詰Ｃの露出部分を手で掴むことにより容易に行うことができる。また、箱状体１２内からの多数の缶詰Ｃの取り出しは、箱状体１２の開放頂部を通して容易に行うことができる。
【００２５】
また、図示の例では、前壁１６に、上方に向けて開放する３つの切欠き２４が設けられている。これらの切欠き２４は、缶詰Ｃの取り出しの際における該缶詰の掴みを容易にする。より詳細には、切欠き２４を通して手の親指を差し込んで、缶詰Ｃを把持することができる。３つの切欠き２４は、それぞれ、三列の缶詰Ｃに対応して設けられている。
【００２６】
箱状体１２は、好ましくは、三列の缶詰Ｃを仕切るための２つの仕切り板２６を備える。
【００２７】
仕切り板２６は、箱状体の両側壁２０と平行状態に取り付けることができる。より詳細には、仕切り板２６の底部及び後部１８にそれぞれ複数の突起２８及び１つの突起３０が設けられ、他方、箱状体の底壁１４及び後壁１８にそれぞれこれらの突起２８，３０を差込み可能である凹所（図示の例では貫通穴）３２，３４が設けられており、凹所３２，３４への突起２８，３０の差込み及び両者の係合により、両側壁２０間に互いに間隔を置いて底壁１４に着脱可能に取り付けることができる。仕切り板２６は、好ましくは、前記した目的のため、側壁２０におけるとほぼ同様の形状の前部を有する。仕切り板２６の前端は前壁１６の内面（前記収容空間に面する面）に近接しかつこれに沿って湾曲している。
【００２８】
また、好ましくは、側壁２０はその内面に表れた一の突条３６を有する。突条３６は箱状体１２の前後方向へ伸びている。突条３６は、図示の例では、底壁１４に近接してその上方位置にあるが、底壁１４から缶詰Ｃの直径を超えない大きさの高さ位置にあればよい。突条３６は、缶詰Ｃの直径より小さい幅寸法を有する。これによれば、側壁２０に沿って転がり落ちる缶詰Ｃの端面が突条３６に接するところ、側壁２０の内面全体に接する場合と比べて、接触面積、したがってこれらの間に生じる摩擦力が小さい。このため、底壁１４上における缶詰Ｃのより円滑な転がり落ちを保証することができる。
【００２９】
底壁１４上を転がり落ちる缶詰Ｃの端面に対向することとなる仕切り板２６の両面にも、突条３６と同様の突条３８を設けることが望ましい。これにより、前記したと同様の理由により、各列の缶詰Ｃの転がり落ちをより円滑にすることができる。
【００３０】
また、好ましくは、箱状体１２はその各側壁２０の上部及び下部にそれぞれ設けられた互いに係合可能である複数の突起４０及び複数の窪み４２を有する。
【００３１】
図示の例では、側壁２０の上部に２つの突起４０が前後方向に互いに間隔をおいて配置されている。また、側壁２０の下部に３つで一組の窪み４２の２組が前後方向に互いに間隔を置いて配置されている。一組の３つの窪み４２もまた前後方向に互いに間隔をおいて配置されている。
【００３２】
これによれば、一の（下方の）箱状体１２の上に他の（上方の）箱状体１２をこれらの突起４０が窪み４２に受け入れられるように載せることができ、このとき、両箱状体１２の水平方向への移動が制限される。図示の例では、突起４０が３つの窪み４２のうちの最後方に位置する窪み４２に挿入されるとき、上下の両箱状体１２が互いに整列し、より前方に位置する他の窪み４２に挿入されるとき、前後方向にわずかにずれた状態で重なり合うように位置決められる。
【００３３】
なお、各側壁２０の上下部にそれぞれ設けられる前記突起及び窪みの数量は任意に定めることができる。また、箱状体１２は必要に応じて三段以上に積み重ねることができる。箱状体１２を積み重ねた場合においても、箱状体１２の前部が前記したように形状付けられているため、該前部から缶詰Ｃを一つずつ取り出すことができる。
【００３４】
さらに、側壁２０に複数の穴（図示の例ではまる穴）４４を設けることができ、これにより、穴４４を通して、箱状体１２内の缶詰Ｃの種類を横方向から確認することができる。缶詰Ｃが載置される底壁１４の補強のため、その外面に縦横に伸びるリブ４６（図２）を設けることができる。
【図面の簡単な説明】
【００３５】
【図１】本考案に係る小出し用容器の上方から見た斜視図である。
【図２】小出し用容器の下方から見た斜視図である。
【符号の説明】
【００３６】
１０  小出し用容器
１２  箱状体
１４  底壁
１６  前壁
１８  後壁
２０  側壁
３６，３８  突条
４０，４２  突起及び窪み
Ｃ  缶詰
【図１】
0003114714.tif 000003
【図２】
0003114714.tif 000004